【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
撮像の際に検出された被写体の顔に関する情報である顔検出情報と、前記撮像の際に使用された焦点検出領域に関する情報とを含む撮像画像を取得する取得手段と、
前記焦点検出領域が前記検出された被写体の顔に基づいて決定されている場合、前記焦点検出領域に関する情報と前記顔検出情報とに基づく領域を撮像画像から抽出し、前記焦点検出領域が前記検出された被写体の顔に基づいて決定されていない場合、前記焦点検出領域に関する情報に基づく領域を撮像画像から抽出する抽出手段と、
前記抽出した領域の画像を表示部に表示する表示手段と、
を備えることを特徴とする画像表示装置。
【請求項２】
被写体の顔に関する情報である顔検出情報に基づいて決定された焦点検出領域の出力信号に基づいて焦点調節され撮像された撮像画像を取得する取得手段と、
取得した前記撮像画像の一部を表示部に表示する表示手段とを備え、
前記表示手段が、前記焦点検出領域が前記検出された被写体の顔の位置に対応して決定された場合は撮像画像に対して第１の割合の領域を抽出して表示部に表示し、前記焦点検出領域が前記検出された被写体の顔の位置に対応して決定されていない場合は前記撮像画像に対して前記第１の割合とは独立した第２の割合の領域を抽出して表示部に表示することを特徴とする画像表示装置。
【請求項３】
被写体の顔に関する情報である顔検出情報に基づいて決定された焦点検出領域の出力信号に基づいて焦点調節され撮像された撮像画像を取得する取得手段と、
取得した前記撮像画像から前記顔検出情報に基づいて顔領域を抽出して表示部に表示する表示手段と、
前記顔領域を抽出して表示する際に、前記顔領域として抽出する領域のサイズを変更するよう前記表示手段を制御する制御手段と、を備え、
前記制御手段は、前記変更後のサイズを記憶しておき、次の撮像画像から顔領域を抽出して表示する際に前記記憶された変更後のサイズに応じて撮像画像から顔領域を抽出して表示するよう前記表示手段を制御することを特徴とする画像表示装置。
【請求項４】
前記焦点検出領域が前記検出された被写体の顔に基づいて決定されていない場合は撮像画像に対して前記焦点検出領域に対応する領域を表示部に表示することを特徴とする請求項１又は２に記載の画像表示装置。
【請求項５】
前記顔検出情報が、検出された顔の位置と大きさを特定可能な情報を含み、
前記表示手段は、前記焦点検出領域が前記検出された被写体の顔に基づいて決定されている場合、前記焦点検出領域に対応する顔の一部又は全部を含む領域を前記第１の割合として前記表示部に表示することを特徴とする請求項２に記載の画像表示装置。
【請求項６】
前記表示手段は、前記撮像画像から抽出した領域の画像に加えて、前記撮像画像の全体を前記表示部に表示することを特徴とする請求項１乃至５のいずれか１項に記載の画像表示装置。
【請求項７】
ユーザの指示に基づき、前記撮像画像から抽出した領域の画像を表示せずに前記撮像画像の全体を前記表示部に表示するか、前記撮像画像の全体及び前記撮像画像から抽出した領域の画像を前記表示部に表示するかを切り替える切り替え手段を有することを特徴とする請求項６に記載の画像表示装置。
【請求項８】
前記顔検出情報が、検出された顔の位置と大きさを特定可能な情報を含み、
前記抽出手段は、前記焦点検出領域が前記検出された被写体の顔の位置に対応して決定されている場合、前記焦点検出領域に対応する顔の一部又は全部を含む複数の領域を抽出し、前記表示手段は、当該抽出した複数の領域の画像に加えて、前記撮像画像の全体を前記表示部に表示することを特徴とする請求項４に記載の画像表示装置。
【請求項９】
前記表示手段は、前記複数の領域として、前記焦点検出領域に対応する顔全体を含む縦長の領域と前記焦点検出領域に対応する顔の目を含む横長の領域とを表示することを特徴とする請求項８に記載の画像表示装置。
【請求項１０】
前記表示手段は、前記焦点検出領域が前記検出された被写体の顔の位置に対応して決定されている場合、前記抽出した複数の領域のうち、ユーザの指示に基づいて決定した数の領域の画像を前記表示部に表示することを特徴とする請求項８又は９に記載の画像表示装置。
【請求項１１】
前記表示手段は、ユーザの選択指示に基づいて、前記表示部に対する表示を行うことを特徴とする請求項１乃至１０のいずれか１項に記載の画像表示装置。
【請求項１２】
請求項１乃至１１のいずれか１項に記載の画像表示装置と、被写体像を撮像する撮像手段とを有し、前記画像表示装置は前記撮像手段で撮像された撮像画像を表示することを特徴とする撮像装置。
【請求項１３】
取得手段が、撮像の際に検出された被写体の顔に関する情報である顔検出情報と、前記撮像の際に使用された焦点検出領域に関する情報とを含む撮像画像を取得する取得ステップと、
抽出手段が、前記焦点検出領域が前記検出された被写体の顔に基づいて決定されている場合、前記焦点検出領域に関する情報と前記顔検出情報とに基づく領域を撮像画像から抽出し、前記焦点検出領域が前記検出された被写体の顔に基づいて決定されていない場合、前記焦点検出領域に関する情報に基づく領域を撮像画像から抽出する抽出ステップと、
表示手段が、前記抽出した領域の画像を表示部に表示する表示ステップと、
を備えることを特徴とする画像表示方法。
【請求項１４】
取得手段が、被写体の顔に関する情報である顔検出情報に基づいて決定された焦点検出領域の出力信号に基づいて焦点調節され撮像された撮像画像を取得する取得ステップと、
表示手段が、取得した前記撮像画像の一部を表示部に表示する表示ステップとを備え、
前記表示手段は、前記表示ステップにおいて、前記焦点検出領域が前記検出された被写体の顔の位置に対応して決定された場合は撮像画像に対して第１の割合の領域を抽出して表示部に表示し、前記焦点検出領域が前記検出された被写体の顔の位置に対応して決定されていない場合は前記撮像画像に対して前記第１の割合とは独立した第２の割合の領域を抽出して表示部に表示することを特徴とする画像表示方法。
【請求項１５】
取得手段が、被写体の顔に関する情報である顔検出情報に基づいて決定された焦点検出領域の出力信号に基づいて焦点調節され撮像された撮像画像を取得する取得ステップと、
表示手段が、取得した前記撮像画像から前記顔検出情報に基づいて顔領域を抽出して表示部に表示する表示ステップと、
制御手段が、前記顔領域を抽出して表示する際に、前記顔領域として抽出する領域のサイズを変更するよう前記表示手段を制御する制御ステップと、を備え、
前記制御ステップにおいて、前記制御手段が、前記変更後のサイズを記憶しておき、次の撮像画像から顔領域を抽出して表示する際に前記記憶された変更後のサイズに応じて撮像画像から顔領域を抽出して表示するよう前記表示手段を制御することを特徴とする画像表示方法。
【請求項１６】
請求項１３乃至１５のいずれか１項に記載の画像表示方法をコンピュータに実行させるためのプログラム。
【請求項１７】
請求項１６に記載のプログラムを記録したコンピュータ読み取り可能な記憶媒体。
【手続補正２】
【補正対象書類名】明細書
【補正対象項目名】０００７
【補正方法】変更
【補正の内容】
【０００７】
上記課題を解決するために、第１の本発明によれば、撮像の際に検出された被写体の顔に関する情報である顔検出情報と、前記撮像の際に使用された焦点検出領域に関する情報とを含む撮像画像を取得する取得手段と、前記焦点検出領域が前記検出された被写体の顔に基づいて決定されている場合、前記焦点検出領域に関する情報と前記顔検出情報とに基づく領域を撮像画像から抽出し、前記焦点検出領域が前記検出された被写体の顔に基づいて決定されていない場合、前記焦点検出領域に関する情報に基づく領域を撮像画像から抽出する抽出手段と、前記抽出した領域の画像を表示部に表示する表示手段と、を備えることを特徴とする画像表示装置が提供される。
【手続補正３】
【補正対象書類名】明細書
【補正対象項目名】０００８
【補正方法】変更
【補正の内容】
【０００８】
また、第２の本発明によれば、被写体の顔に関する情報である顔検出情報に基づいて決定された焦点検出領域の出力信号に基づいて焦点調節され撮像された撮像画像を取得する取得手段と、取得した前記撮像画像の一部を表示部に表示する表示手段とを備え、前記表示手段が、前記焦点検出領域が前記検出された被写体の顔の位置に対応して決定された場合は撮像画像に対して第１の割合の領域を抽出して表示部に表示し、前記焦点検出領域が前記検出された被写体の顔の位置に対応して決定されていない場合は前記撮像画像に対して前記第１の割合とは独立した第２の割合の領域を抽出して表示部に表示することを特徴とする画像表示装置が提供される。
【手続補正４】
【補正対象書類名】明細書
【補正対象項目名】０００９
【補正方法】変更
【補正の内容】
【０００９】
また、第３の本発明によれば、被写体の顔に関する情報である顔検出情報に基づいて決定された焦点検出領域の出力信号に基づいて焦点調節され撮像された撮像画像を取得する取得手段と、取得した前記撮像画像から前記顔検出情報に基づいて顔領域を抽出して表示部に表示する表示手段と、前記顔領域を抽出して表示する際に、前記顔領域として抽出する領域のサイズを変更するよう前記表示手段を制御する制御手段と、を備え、前記制御手段は、前記変更後のサイズを記憶しておき、次の撮像画像から顔領域を抽出して表示する際に前記記憶された変更後のサイズに応じて撮像画像から顔領域を抽出して表示するよう前記表示手段を制御することを特徴とする画像表示装置が提供される。
【手続補正５】
【補正対象書類名】明細書
【補正対象項目名】００１０
【補正方法】変更
【補正の内容】
【００１０】
また、第４の本発明によれば、取得手段が、撮像の際に検出された被写体の顔に関する情報である顔検出情報と、前記撮像の際に使用された焦点検出領域に関する情報とを含む撮像画像を取得する取得ステップと、抽出手段が、前記焦点検出領域が前記検出された被写体の顔に基づいて決定されている場合、前記焦点検出領域に関する情報と前記顔検出情報とに基づく領域を撮像画像から抽出し、前記焦点検出領域が前記検出された被写体の顔に基づいて決定されていない場合、前記焦点検出領域に関する情報に基づく領域を撮像画像から抽出する抽出ステップと、表示手段が、前記抽出した領域の画像を表示部に表示する表示ステップと、を備えることを特徴とする画像表示方法が提供される。
【手続補正６】
【補正対象書類名】明細書
【補正対象項目名】００１１
【補正方法】変更
【補正の内容】
【００１１】
また、第５の本発明によれば、取得手段が、被写体の顔に関する情報である顔検出情報に基づいて決定された焦点検出領域の出力信号に基づいて焦点調節され撮像された撮像画像を取得する取得ステップと、表示手段が、取得した前記撮像画像の一部を表示部に表示する表示ステップとを備え、前記表示手段は、前記表示ステップにおいて、前記焦点検出領域が前記検出された被写体の顔の位置に対応して決定された場合は撮像画像に対して第１の割合の領域を抽出して表示部に表示し、前記焦点検出領域が前記検出された被写体の顔の位置に対応して決定されていない場合は前記撮像画像に対して前記第１の割合とは独立した第２の割合の領域を抽出して表示部に表示することを特徴とする画像表示方法が提供される。
【手続補正７】
【補正対象書類名】明細書
【補正対象項目名】００１２
【補正方法】変更
【補正の内容】
【００１２】
また、第６の本発明によれば、取得手段が、被写体の顔に関する情報である顔検出情報に基づいて決定された焦点検出領域の出力信号に基づいて焦点調節され撮像された撮像画像を取得する取得ステップと、表示手段が、取得した前記撮像画像から前記顔検出情報に基づいて顔領域を抽出して表示部に表示する表示ステップと、制御手段が、前記顔領域を抽出して表示する際に、前記顔領域として抽出する領域のサイズを変更するよう前記表示手段を制御する制御ステップと、を備え、前記制御ステップにおいて、前記制御手段が、前記変更後のサイズを記憶しておき、次の撮像画像から顔領域を抽出して表示する際に前記記憶された変更後のサイズに応じて撮像画像から顔領域を抽出して表示するよう前記表示手段を制御することを特徴とする画像表示方法が提供される。